(57)【要約】【課題】  病室レイアウトの変更に対して容易に対応でき、而も呼出元の場所や患者の情報も把握できるナースコールシステムを提供する。【解決手段】  ナースコール子機１及びナースコール親機２は、電力線７を介して相互に通信を行う子機ＩＦ１０、親機ＩＦ２０を夫々備え、ナースコール子機１が接続される電源コンセント装置４は、自身のＩＤを記憶するコンセント記憶部４４と、接続されたナースコール子機１からの呼出信号を受けたら、呼出信号に自身のＩＤ情報を付加してナースコール親機２に送信するコンセントＣＰＵ４５とを有し、ナースコール親機２はコンセントＩＤ情報と場所情報とを関連付けたコンセント・場所情報記憶部２４ａと、呼出情報等を表示するディスプレイ２１と、呼出信号に含まれるコンセントＩＤ情報を基に呼出元の場所を特定し、ディスプレイ２１に特定した場所情報を表示する親機ＣＰＵ２６を有する。【選択図】  図１
2012010771.tif 000002
【特許請求の範囲】
【請求項１】
病室に設置される複数のナースコール子機とナースステーションに設置されるナースコール親機とを有し、前記ナースコール親機と前記ナースコール子機との間で通話を行なうナースコールシステムにおいて、
前記ナースコール子機及びナースコール親機は、電力の供給を受ける電力線を介して相互に通信を行う電力線通信部を夫々備え、
少なくとも前記ナースコール子機が接続される電源コンセントは、自身のＩＤを記憶するコンセントＩＤ記憶部と、接続された前記ナースコール子機からの呼出信号を受けたら、呼出信号に自身のＩＤ情報を付加して前記ナースコール親機に送信するＩＤ付加伝送部とを有する電源コンセント装置であって、
前記ナースコール親機は、前記コンセントＩＤ情報と場所情報とを関連付けたコンセント・場所情報記憶部と、呼出情報等を表示する表示部と、前記呼出信号を受けて呼出信号に含まれるコンセントＩＤ情報を基に呼出元の場所を特定し、前記表示部に特定した場所情報を表示する表示制御部とを有することを特徴とするナースコールシステム。
【請求項２】
前記ナースコール子機は、自身のＩＤを記憶する子機ＩＤ記憶部と、前記呼出信号に自身のＩＤ情報を添付して送出する呼出信号出力部とを有する一方、前記ナースコール親機は、前記ナースコール子機の子機ＩＤと患者情報を関連付けた子機・患者情報記憶部を有し、
前記表示制御部は、前記ＩＤ付加伝送部から伝送された呼出信号に含まれる子機ＩＤ情報及びコンセントＩＤ情報を基に、呼出元の場所情報と併せて関連する患者情報を前記表示部に表示することを特徴とする請求項１記載のナースコールシステム。
【請求項３】
前記ナースコール親機は、病棟のレイアウトに合わせて前記表示部に患者情報を表示するための病棟レイアウト記憶部と、
前記コンセントＩＤと前記子機ＩＤの関連付けを記憶する子機・場所情報記憶部と、
前記ＩＤ付加伝送部と通信を実施して前記コンセントＩＤと前記子機ＩＤの関係を前記子機・場所情報記憶部に登録するＩＤ登録制御部とを有し、
前記ＩＤ登録制御部は、コンセントＩＤ情報と子機ＩＤ情報の組み合わせが変更されたら、前記ＩＤ付加伝送部との通信によりそれを認識し、前記子機・場所情報記憶部を最新の情報に書き換える一方、
前記表示制御部は、前記子機・場所情報記憶部の書き換えを受けて前記表示部に表示する病棟レイアウト上の患者情報を変更することを特徴とする請求項２記載のナースコールシステム。
【請求項４】
病室毎に前記ナースコール子機からの呼び出しを病室前で通知する廊下灯を有し、
前記廊下灯は、電力線を介して前記ナースコール親機と通信を行う電力線通信部と、患者情報を表示する液晶表示部とを備え、
前記ナースコール親機は、前記廊下灯と通信して前記液晶表示部の表示を制御する廊下灯表示制御部を有し、
前記廊下灯表示制御部は、前記子機・場所情報記憶部の書き換えに併せて、関連する前記廊下灯の患者情報の表示を変更することを特徴とする請求項３記載のナースコールシステム。
【請求項５】
前記電源コンセント装置の前記コンセントＩＤ記憶部及び前記ＩＤ付加伝送部はＰＬＣモデムで構成され、
前記電源コンセント装置は、電源コンセントとＰＬＣモデムとに分離できることを特徴とする請求項１乃至４の何れかに記載のナースコールシステム。
【請求項６】
病室に設置される複数のナースコール子機とナースステーションに設置されるナースコール親機とを有し、前記ナースコール親機と前記ナースコール子機との間で通話を行なうナースコールシステムにおいて、
前記ナースコール子機及びナースコール親機は、電力の供給を受ける電力線を介して相互に通信を行う電力線通信部を夫々備え、
個々の前記ナースコール子機は、自身のＩＤを記憶する子機ＩＤ記憶部と、呼出操作を受けて自身のＩＤ情報を具備した呼出信号を前記ナースコール親機に送出する呼出信号生成部とを有する一方、
前記ナースコール親機は、前記子機ＩＤと患者情報の関連付けを記憶する子機・患者情報記憶部と、患者情報等を表示する表示部と、前記呼出信号を受信したら、前記子機・患者情報記憶部の情報を基に、呼出元の患者情報を前記表示部に表示する表示制御部とを有することを特徴とするナースコールシステム。
【発明の詳細な説明】
【技術分野】
【０００１】
本発明は入院患者が看護師を呼び出すためのナースコールシステムに関し、特に、ベッド毎に設置されたナースコール子機とナースステーションに設置されたナースコール親機の間で通信線の配線を無くしたナースコールシステムに関する。
【背景技術】
【０００２】
ナースコールシステムは、病室の個々のベッドに設置されたナースコール子機と、ナースステーションに設置されたナースコール親機とを備えており、双方の間に専用の通信線が配設されている。このようなシステムにおいて、ナースコール子機が操作されたら、ナースコール親機が患者の場所や患者を特定して、その患者情報をナースコール親機のディスプレイに表示させて、応答する看護師が患者情報を把握し易くしたシステムがある（例えば、特許文献１参照）。
具体的には、ベッド位置を表示した病棟のレイアウトを待受時にナースコール親機のディスプレイに表示し、呼び出しが発生したら呼出元のベッドマーク等を点滅等させて応答する看護師が認識できるよう動作させ、更に関連する患者情報を表示して看護師が呼出元の患者情報を容易に把握できるよう構成されていた。
【先行技術文献】
【特許文献】
【０００３】
【特許文献１】特開平１０−１４６３６６号公報
【発明の概要】
【発明が解決しようとする課題】
【０００４】
上述したように、上記従来のナースコールシステムは、呼出元の患者情報や場所情報を把握し易い。しかしながら、ナースコール子機とナースコール親機の間で専用の配線が必要であり、その敷設工事が面倒であったし、病院の改築等で病室あたりのベッド数が例えば６床から４床に変更した場合等、全てのナースコール子機の配線をやり直す必要があり、作業が大がかりになっていた。
【０００５】
そこで、本発明はこのような問題点に鑑み、病室レイアウトの変更に対して容易に対応でき、而も呼出元の場所や患者の情報も把握できるナースコールシステムを提供することを目的としている。
【課題を解決するための手段】
【０００６】
上記課題を解決する為に、請求項１の発明は、病室に設置される複数のナースコール子機とナースステーションに設置されるナースコール親機とを有し、ナースコール親機とナースコール子機との間で通話を行なうナースコールシステムにおいて、ナースコール子機及びナースコール親機は、電力の供給を受ける電力線を介して相互に通信を行う電力線通信部を夫々備え、少なくともナースコール子機が接続される電源コンセントは、自身のＩＤを記憶するコンセントＩＤ記憶部と、接続されたナースコール子機からの呼出信号を受けたら、呼出信号に自身のＩＤ情報を付加してナースコール親機に送信するＩＤ付加伝送部とを有する電源コンセント装置であって、ナースコール親機は、コンセントＩＤ情報と場所情報とを関連付けたコンセント・場所情報記憶部と、呼出情報等を表示する表示部と、呼出信号を受けて呼出信号に含まれるコンセントＩＤ情報を基に呼出元の場所を特定し、表示部に特定した場所情報を表示する表示制御部とを有することを特徴とする。
この構成によれば、電力線を介してナースコール親機とナースコール子機との間で通信を実施し、呼び出し及びその応答を行うことができるので、通信線を敷設する必要がない。よって、設置作業が容易であるし、ベッド数の変更等病室のレイアウトの変更に対しても通信線の処理が必要ないので容易に対応できる。
そして、呼び出しを受けたナースコール親機は、呼出信号に含まれるコンセントＩＤ情報から場所情報を表示するので、看護師は呼出元の場所を特定でき呼び出しに対処し易い。
【０００７】
請求項２の発明は、請求項１に記載の構成において、ナースコール子機は、自身のＩＤを記憶する子機ＩＤ記憶部と、呼出信号に自身のＩＤ情報を添付して送出する呼出信号出力部とを有する一方、ナースコール親機は、ナースコール子機の子機ＩＤと患者情報を関連付けた子機・患者情報記憶部を有し、表示制御部は、ＩＤ付加伝送部から伝送された呼出信号に含まれる子機ＩＤ情報及びコンセントＩＤ情報を基に、呼出元の場所情報と併せて関連する患者情報を表示部に表示することを特徴とする。
この構成によれば、ナースコール親機は、呼出元の場所情報に加えて、患者情報を表示するので、応対する看護師は呼出元の患者情報も把握でき対処し易い。
【０００８】
請求項３の発明は、請求項２に記載の構成において、ナースコール親機は、病棟のレイアウトに合わせて表示部に患者情報を表示するための病棟レイアウト記憶部と、コンセントＩＤと子機ＩＤの関連付けを記憶する子機・場所情報記憶部と、ＩＤ付加伝送部と通信を実施してコンセントＩＤと子機ＩＤの関係を子機・場所情報記憶部に登録するＩＤ登録制御部とを有し、ＩＤ登録制御部は、コンセントＩＤ情報と子機ＩＤ情報の組み合わせが変更されたら、ＩＤ付加伝送部との通信によりそれを認識し、子機・場所情報記憶部を最新の情報に書き換える一方、表示制御部は、子機・場所情報記憶部の書き換えを受けて表示部に表示する病棟レイアウト上の患者情報を変更することを特徴とする。
この構成によれば、病棟レイアウトに合わせて患者情報をナースコール親機に表示するので、患者の場所を把握し易い。そして、ベッド移動により患者位置が変更されたら、ベッド移動を認識して子機・場所情報記憶部を書き換えると共に病棟レイアウトの表示も変更するので、ベッド移動に伴う患者情報の変更を看護師が行う必要が無く、看護師の負担を軽減できるし、変更忘れが発生しない。
【０００９】
請求項４の発明は、請求項３に記載の構成において、病室毎にナースコール子機からの呼び出しを病室前で通知する廊下灯を有し、廊下灯は、電力線を介してナースコール親機と通信を行う電力線通信部と、患者情報を表示する液晶表示部とを備え、ナースコール親機は、廊下灯と通信して液晶表示部の表示を制御する廊下灯表示制御部を有し、廊下灯表示制御部は、子機・場所情報記憶部の書き換えに併せて、関連する廊下灯の患者情報の表示を変更することを特徴とする。
この構成によれば、ベッド移動等で患者の位置が変更されたら、関連する廊下灯の患者情報の表示も変更されるので、別途表示変更操作が必ない。
【００１０】
請求項５の発明は、請求項１乃至４の何れかに記載の構成において、電源コンセント装置のコンセントＩＤ記憶部及びＩＤ付加伝送部はＰＬＣモデムで構成され、電源コンセント装置は、電源コンセントとＰＬＣモデムとに分離できることを特徴とする。
この構成によれば、汎用のＰＬＣモデムを使用して通信を実施でき、安価に構成できるし、従来より設置されている電源コンセントを交換すること無く、コンセントＩＤ記憶部やＩＤ付加伝送部等を備えた電源コンセント装置に変更できる。
【００１１】
請求項６の発明は、病室に設置される複数のナースコール子機とナースステーションに設置されるナースコール親機とを有し、ナースコール親機とナースコール子機との間で通話を行なうナースコールシステムにおいて、ナースコール子機及びナースコール親機は、電力の供給を受ける電力線を介して相互に通信を行う電力線通信部を夫々備え、個々のナースコール子機は、自身のＩＤを記憶する子機ＩＤ記憶部と、呼出操作を受けて自身のＩＤ情報を具備した呼出信号をナースコール親機に送出する呼出信号生成部とを有する一方、ナースコール親機は、子機ＩＤと患者情報の関連付けを記憶する子機・患者情報記憶部と、患者情報等を表示する表示部と、呼出信号を受信したら、子機・患者情報記憶部の情報を基に、呼出元の患者情報を表示部に表示する表示制御部とを有することを特徴とする。
この構成によれば、電源線を介してナースコール親機とナースコール子機との間で通信を実施し、呼び出し及びその応答を行うことができるので、通信線を敷設する必要がない。よって、設置作業が容易であるし、ベッド数の変更等病室のレイアウトの変更に対しても通信線の処理が必要ないので容易に対応できる。
そして、子機ＩＤにより、呼出元の患者を特定してナースコール親機に患者情報が表示するので、看護師は呼び出しに対処し易い。
【発明の効果】
【００１２】
本発明によれば、電力線を介してナースコール親機とナースコール子機との間で通信を実施し、呼び出し及びその応答を行うことができるので、通信線を敷設する必要がない。よって、設置作業が容易であるし、ベッド数の変更等病室のレイアウトの変更に対しても通信線の処理が必要ないので容易に対応できる。
そして、呼び出しを受けたナースコール親機は、呼出信号に含まれるコンセントＩＤ情報から場所を特定して場所情報を表示するので、看護師は呼出元を特定し易く、呼び出しに対処し易い。
また、ナースコール子機のＩＤを管理することで、呼出元の患者の患者情報をナースコール親機に表示するので、看護師は呼び出しに対処し易い。
【図面の簡単な説明】
【００１３】
【図１】本発明に係るナースコールシステムの一例を示す構成図である。
【図２】ナースコール子機の回路ブロック図である。
【図３】ナースコール親機の回路ブロック図である。
【図４】廊下灯の回路ブロック図である。
【図５】電源コンセント装置の回路ブロック図である。
【図６】患者関連情報記憶部の記憶内容を説明するテーブルである。
【発明を実施するための形態】
【００１４】
以下、本発明を具体化した実施の形態を図面に基づいて詳細に説明する。図１は、本発明に係るナースコールシステムの一例を示す構成図であり、１はベッド毎に設置されて看護師を呼び出すための呼出ボタン１ａを備えたナースコール子機、２はナースステーションに設置されてナースコール子機１からの呼び出しに応答する機能を備えたナースコール親機、３は病室前に設置されて患者からの呼び出しを通知する廊下灯、４は電源コンセント装置、５はプラグ、６は電源コンセントである。
【００１５】
電源コンセント装置４は、病室内のベッド位置毎に即ちナースコール子機１毎に設けられている。一方、ナースコール親機２、廊下灯３に電力を供給する電源コンセント６は汎用の電源コンセントであり、これらの電源コンセント装置４及び電力線７により互いに連結され、図示しないＡＣ１００Ｖの商用電源から電力の供給を受けている。
【００１６】
ナースコール子機１は図２に示すように構成されている。図２はナースコール子機１の回路ブロック図であり、プラグ５により接続した電源コンセント装置４と通信する電力線通信部としての子機インターフェース（子機ＩＦ）１０、呼出ボタン１ａの呼出操作を検出する呼出検出回路１１、自身のＩＤ（子機ＩＤ）等を記憶する子機記憶部１２、看護師と通話するためのマイク及びスピーカ等を備えた通話部１３、ナースコール子機１を制御する子機ＣＰＵ１５、電源コンセント装置４から供給されたＡＣ電源をＤＣ変換して各回路に供給する電源部１６等を備えている。
【００１７】
ナースコール親機２は図３に示すように構成されている。図３はナースコール親機２の回路ブロック図であり、電源コンセント６を介して電力線７により電源コンセント装置４と通信する電力線通信部としての親機インターフェース（親機ＩＦ）２０、ＬＣＤから成るディスプレイ２１、ディスプレイ２１を制御するＬＣＤコントローラ２２、患者関連情報を記憶する患者関連情報記憶部２３、患者の場所関連情報を記憶する場所関連情報記憶部２４、患者と通話するためのマイク及びスピーカ等を備えた通話部２５、ナースコール親機２を制御する親機ＣＰＵ２６、ＡＣ電源をＤＣ変換して各回路に供給する電源部２７等を備えている。
【００１８】
患者関連情報記憶部２３は、患者の氏名や年齢等の患者情報を記憶する患者情報記憶部２３ａ、患者の看護区分や診療科目等の看護情報を記憶する看護情報記憶部２３ｂ、子機ＩＤと患者情報の関係を記憶する子機・患者情報記憶部２３ｃ等で構成されている。
場所関連情報記憶部２４は、電源コンセント装置４のＩＤ（コンセントＩＤ）と場所情報であるベッド番号や病室番号の関係を記憶するコンセント・場所情報記憶部２４ａ、子機ＩＤとコンセントＩＤの関係を記憶する子機・場所情報記憶部２４ｂ、廊下灯ＩＤと病室番号の関係を記憶する廊下灯・病室情報記憶部２４ｃ、ディスプレイ２１に病棟レイアウトに合わせて患者情報を表示するための病棟レイアウトを記憶するレイアウト記憶部２４ｄ等で構成されている。
【００１９】
図６は、この場所関連情報記憶部２４に記憶された内容を説明するテーブルを示し、「患者ＩＤ」、「コンセントＩＤ」、「子機ＩＤ」、「部屋番号」、「ベッド番号」の関係を示している。例えば、コンセント・場所情報記憶部２４ａには「患者ＩＤ」と「子機ＩＤ」と「ベッド番号」との関係が記憶され、子機・場所情報記憶部２４ｂには「患者ＩＤ」と「子機ＩＤ」との関係が記憶されている。
【００２０】
廊下灯３は図４に示すように構成されている。図４は廊下灯３の回路ブロック図であり、電力線７を介してナースコール親機２と通信する電力線通信部としての廊下灯インターフェース（廊下灯ＩＦ）３０、廊下灯３に関連しているナースコール子機１が呼出操作されたら光で報知する呼出報知部３１、患者情報を表示するＬＣＤ３２、自身のＩＤや表示する患者情報等を記憶する廊下灯記憶部３３、廊下灯３を制御する廊下灯ＣＰＵ３４、ＡＣ電源をＤＣ変換して各回路に供給する電源部３５等を有し、電源コンセント６に接続することで、ナースコール親機２と通信を実施する。
【００２１】
電源コンセント装置４は図５に示すように構成されている。図５は電源コンセント装置４の回路ブロック図であり、ナースコール子機１等の機器から伸びたプラグ５を接続するための図示しないコンセントを有し、図５に示すように電力線７から信号を抽出／送出する電力線通信部としてのコンセントインターフェース（コンセントＩＦ）４０、信号をナースコール子機１及びナースコール親機２に送信するための送信回路４１、ナースコール子機１及びナースコール親機２から送信された信号を受信するための受信回路４２、送信信号と受信信号の分離／結合を行う結合回路４３、自身のＩＤ情報等を記憶するコンセント記憶部４４、電源コンセント装置４を制御するコンセントＣＰＵ４５、電力線７から供給されたＡＣ電源をＤＣ変換して各回路に供給するための電源部４６、接続機器との通信状態を表示するＬＥＤ４７等を備えている。
電源コンセント装置４は、ＡＣ１００Ｖ用の従来の電源コンセントと同一外形で形成され、内部に上記回路が組み込まれている。
【００２２】
このように構成されたナースコールシステムは以下のように設定され、また動作する。先ず、初期設定が行われる。初期設定はナースコール親機２の操作により実施され、子機・患者情報記憶部２３ｃ、コンセント・場所情報記憶部２４ａに情報の登録が行われる。尚、患者情報記憶部２３ａ、看護情報記憶部２３ｂは、図示しないサーバ等から送信された情報により登録が行われるし、コンセント・場所情報記憶部２４ａ、廊下灯・病室情報記憶部２４ｃには、システム施工時に電源コンセント装置４の場所（病室においてはベッドの場所）や廊下灯３の場所が登録される。
【００２３】
初期設定が終了したら、登録されたナースコール子機１のプラグ５を病室ベッド位置に合わせて設けられた電源コンセント装置４に差し込む。すると、ナースコール親機２において初期登録が開始される。具体的に、ナースコール子機１のプラグ５が電源コンセント装置４に差し込まれると、コンセントＣＰＵ４５が接続を検知してナースコール子機１と通信してナースコール子機１から子機ＩＤ情報を入手する。そして、入手した子機ＩＤに自身のＩＤ（コンセントＩＤ）を付加した初期登録信号を生成してナースコール親機２に送信する。
【００２４】
初期登録信号を受けたナースコール親機２は、親機ＣＰＵ２６が初期登録信号からコンセントＩＤを読み取って、コンセント・場所情報記憶部２４ａの情報を参照して場所を特定する。また、子機ＩＤを読み取って子機・患者情報記憶部２３ｃの情報を参照して患者を特定する。こうして患者と場所の関係を認識した親機ＣＰＵ２６は、子機・場所情報記憶部２４ｂに登録して初期登録を完了する。その後、親機ＣＰＵ２６は、レイアウト記憶部２４ｄに記憶されている病棟レイアウトをディスプレイ２１に表示する。このレイアウト上の個々のベッド位置には、患者氏名等の患者情報が合わせて表示される。
【００２５】
一方、電源コンセント６に廊下灯３が接続されると、廊下灯ＣＰＵ３４は電力線７を介してナースコール親機２へ自身のＩＤ信号を送信する。ナースコール親機２は、親機ＣＰＵ２６が廊下灯３のＩＤ信号を受信すると、廊下灯・病室情報記憶部２４ｃを参照して関連する病室の患者情報を廊下灯３に送信し、廊下灯３のＬＣＤ３２に表示させる。
こうして初期設定及び初期登録が終了したら、患者からの呼び出しを待つ待受状態となる。
【００２６】
待受状態となったナースコールシステムにおいて、患者から呼び出しが成されると次のように動作する。患者がナースコール子機１を操作して呼出操作が行なわれると、ナースコール子機１から子機ＩＤが付与された呼出信号が電源コンセント装置４に送信される。この呼出信号を受信したコンセントＣＰＵ４５は、この呼出信号に自身のＩＤ（コンセントＩＤ）を付加した呼出信号を再生成してナースコール親機２に送信する。
【００２７】
ナースコール親機２は、電源コンセント装置４から呼出信号を受けて、親機ＣＰＵ２６が呼出信号からコンセントＩＤを読み取り、コンセント・場所情報記憶部２４ａを参照して関連付けられた場所情報を読み取る。こうしてナースコール子機１の位置（患者の位置）を特定し、ディスプレイ２１に表示している病棟レイアウト上の関連する患者情報の点滅動作等を行い、呼出元の場所の報知動作を行う。
引き続き、子機・患者情報記憶部２３ｃを参照して関連づけられた患者を特定し、その患者の患者情報及び看護情報を患者情報記憶部２３ａ、看護情報記憶部２３ｂを参照してポップアップ等で病棟レイアウトに重ねて、或いは並べてディスプレイに表示する。
【００２８】
親機ＣＰＵ２６はさらに、ナースコール親機２の通話部２５を制御して呼出音を鳴動させる。この呼出音を認識した看護師により、ナースコール親機２の通話部２５が所定の応答操作を受けると、呼出元のナースコール子機１との間で、電力線７を介して通話路が形成されて通話が可能となる。
【００２９】
一方、呼出操作されたナースコール子機１に関連する廊下灯３は、ナースコール親機２から親機ＣＰＵ２６の制御で、呼出元の患者情報が送信され、呼出報知部３１及び呼出元の患者表示部が発光動作する。
【００３０】
このように、呼び出しを受けたナースコール親機２は、呼出信号に含まれるコンセントＩＤ情報から場所情報を表示するので、看護師は呼出元の場所を特定でき呼び出しに対処し易い。そして、ナースコール子機のＩＤ情報から、呼出元の患者を特定してナースコール親機に患者情報が表示されるので、看護師は呼出元の患者情報も把握でき呼び出しに対処し易い。
また、待受時においては、病棟レイアウトに合わせて患者情報をナースコール親機に表示するので、患者の場所を把握し易い。
【００３１】
次に、電源コンセント装置４からナースコール子機１のプラグ５が抜けた場合の動作を説明する。コンセントＣＰＵ４５は、接続されたナースコール子機１へ通電する電流を常時監視し、電流が遮断されたら子機脱落と判断して脱落信号をナースコール親機２へ送信する。この脱落信号には、コンセントＩＤが付加されて送信される。
【００３２】
脱落信号を受信した親機ＣＰＵ２６は、脱落信号送信元の電源コンセント装置４を特定し、合わせて子機・場所情報記憶部２４ｂに登録されている子機ＩＤから、患者を特定する。そして、病棟レイアウト上の該当する電源コンセント装置４の位置（ベッド位置）を点滅や音等で表示し、該当する患者情報をポップアップ等で断線表示とともにディスプレイ２１に表示する。更に、ナースコール親機２の通話部２５において警告音を鳴動させる。
尚、この警告音の鳴動は、ナースコール親機２または電源コンセント装置４の図示しない復帰スイッチを操作することにより停止できる。
【００３３】
このように、ナースコール親機２が、ナースコール子機１の抜けを認識して報知するので、ナースコール子機１のプラグ５の脱落により患者からの呼び出しができなくなる事態を防止できるし、看護師はいちいち抜けていないかチェックする必要がなく、安心して患者からの呼び出しを待つことができる。
【００３４】
次に、ベッド移動を行った場合の動作を説明する。ベッド移動は、ナースコール子機１の移動と一体で行われる。移動に際して、まずナースコール子機１のプラグ５が電源コンセント装置４から引き抜かれる。この操作により、上述したように電源コンセント装置４がナースコール子機１の抜けを認識し、ナースコール親機２で警告音が鳴動するが、この警告音は復帰スイッチを操作することで停止し、移動作業を継続する。
【００３５】
ベッド移動が完了したら、移動後のベッドに合わせて設置されている電源コンセント装置４に、ナースコール子機１のプラグ５を差し込む。すると、差し込まれた電源コンセント装置４が、ナースコール子機１から子機ＩＤ情報を入手し、上述した初期登録が行われる。よって、自身のＩＤを付加した初期登録信号がナースコール親機２に送信される。
【００３６】
ナースコール親機２は、親機ＣＰＵ２６がコンセントＩＤ情報から場所を把握し、子機ＩＤから関連づけられた患者を特定する。このとき、親機ＣＰＵ２６は、事前に受信して登録されている子機ＩＤと新たに受信した子機ＩＤが異なることを認識し、ベッド移動が発生したと判断して子機・場所情報記憶部２４ｂを書き換える。また、ディスプレイ２１に表示される病棟レイアウトの書き換えも実施し、移動に合わせて病棟レイアウト上に表示される患者情報が変更される。
更に、ベッド移動に関連する廊下灯３に対して、変更された患者情報を送信し、ＬＣＤ３２に表示する患者情報を変更する。
【００３７】
このように、電力線７を介してナースコール子機１とナースコール親機２との間で通信を実施し、呼び出し及びその応答を行うので、通信線を敷設する必要がない。よって、設置作業を容易にできるし、ベッド数の変更等病室のレイアウトの変更に対しても通信線の処理が必要ないので容易に対応できる。
また、ベッド移動により患者位置が変更されたら、子機・場所情報記憶部の情報との差異の発生によりベッド移動を認識して子機・場所情報記憶部を書き換えるし、病棟レイアウトの表示も変更するので、ベッド移動に伴う患者情報の変更を看護師が行う必要が無く、看護師の負担を軽減できるし、変更忘れが発生しない。
【００３８】
尚、上記実施形態では、電源コンセント装置４が出力する初期登録信号や脱落信号の送信は、任意のタイミングで送信する構成となっているが、ナースコール親機２から全ての電源コンセント装置４に対してポーリングを実施し、このポーリングの返信時に実施しても良い。
また、電源コンセント装置４に設けた各回路、具体的にはコンセント記憶部４４やコンセントＣＰＵ４５等の図５に示す全ての回路は、汎用のＰＬＣモデムで構成することができる。その場合、従来の電源コンセントのプラグ接続部にＰＬＣモデムを接続することで、上記電源コンセント装置４を構成することができ、汎用のＰＬＣモデムを使用することで安価に構成することが可能となるし、従来より設置されている電源コンセントを交換すること無く、コンセントＩＤ記憶部やＩＤ付加伝送部等を備えた電源コンセント装置に変更できる。
更に、電源コンセント装置４とナースコール子機１を１対１で対応付けているが、１つの電源コンセント装置４に対して複数のナースコール子機１を接続しても良い。
【００３９】
また、電源コンセント装置４とナースコール子機１の双方のＩＤ情報を基に、場所や患者情報を管理しているが、コンセントＩＤ情報のみ管理するだけでも良いし、子機ＩＤ情報のみ管理するだけでも良い。コンセントＩＤ情報のみ管理する場合は、ナースコール子機１からの呼び出しに対して場所を把握できるし、子機ＩＤ情報のみ管理する場合は、ナースコール子機１からの呼び出しに対して呼出元の患者を把握でき、看護師は対応しやすい。加えて、更に子機ＩＤ情報のみ管理する場合は、電源コンセント装置４を従来の電源コンセント６に変更することが可能であり、構成を安価にできる。
逆に、上記実施形態ではナースコール子機１のみナースコール親機２と通信を行う電源コンセント装置４を使用しているが、ナースコール親機２や廊下灯３に対しても電源コンセント装置４を使用しても良い。こうすることで、廊下灯２のプラグ５が外れた場合にナースコール親機２において通報することができるし、ナースコール親機２が複数台設置されている場合に、何れかのナースコール親機２のプラグ５が外れた場合に他のナースコール親機２において通報することができる。
【符号の説明】
【００４０】
１・・  ナースコール子機、２・・ナースコール親機、３・・廊下灯、４・・電源コンセント装置、５・・プラグ、６・・電源コンセント、７・・電力線、１０・・子機ＩＦ（電力線通信部）、１２・・子機記憶部（子機ＩＤ記憶部）、１５・・子機ＣＰＵ（呼出信号出力部）、２０・・親機ＩＦ（電力線通信部）、２１・・ディスプレイ（表示部）、２３・・患者関連情報記憶部、２３ａ・・患者情報記憶部、２３ｂ・・看護情報記憶部、２３ｃ・・子機・患者情報記憶部、２４・・場所関連情報記憶部、２４ａ・・コンセント・場所情報記憶部、２４ｂ・・子機・場所情報記憶部、２４ｄ・・レイアウト記憶部（病棟レイアウト記憶部）、２６・・親機ＣＰＵ（表示制御部，ＩＤ登録制御部，廊下灯表示制御部）、３０・・廊下灯ＩＦ（電力線通信部）、３１・・呼出報知部、３２・・ＬＣＤ（液晶表示部）、３３・・廊下灯記憶部、３４・・廊下灯ＣＰＵ、４０・・コンセントＩＦ、４４・・コンセント記憶部（コンセントＩＤ記憶部）、４５・・コンセントＣＰＵ（ＩＤ付加伝送部）。
【図１】
2012010771.tif 000003
【図２】
2012010771.tif 000004
【図３】
2012010771.tif 000005
【図４】
2012010771.tif 000006
【図５】
2012010771.tif 000007
【図６】
2012010771.tif 000008